(57)【特許請求の範囲】
【請求項１】
第１の結合要素が形成された胴部と、第２の結合要素が形成された軸部とを備え、胴部
と軸部とを軸心方向から突き合わせた状態で第１の結合要素の上面と第２の結合要素の
下面とを当接させることで前記胴部と前記軸部とが結合され、外部衝撃が前記胴部に作用した際に前記胴部と前記軸部とが相対回転し所定位置で結合が解除されて分解される構造を有するコマ玩具であって、
前記胴部に固定された固定ブレードと、
前記胴部に設けられ、前記固定ブレードのコマ回転方向の下流側に当該固定ブレードに隣接して配置され、付勢部材の付勢力により動作して常態で前記固定ブレードのコマ回転方向の下流側端を半径方向外方に露出させない第１位置を取るとともに、外部衝撃により動作して前記コマ玩具の半径方向内方へ動作して前記固定ブレードの下流側端を露出させる第２位置とを取り得る可動部材と、
前記可動部材の前記半径方向内方に配置され、前記軸部と一体的に前記胴部に対して相対回転する部分と、を備え、
前記可動部材には、半径方向内方への動作時に前記部分に当接して前記軸部の相対回転を阻止又は制動する相対回転規制片が形成されている、
ことを特徴とするコマ玩具。
【請求項２】
前記可動部材は、前記胴部の外周に沿って延在し、コマ回転方向の下流側部分で前記軸心と平行な所定の軸を中心に回動可能に構成され、コマ回転方向の上流側部分で前記固定ブレードのコマ回転方向の下流側端を半径方向外方に露出させないようにしたことを特徴とする請求項１に記載のコマ玩具。
【請求項３】
前記部分は、前記胴部に設けられ、前記胴部と前記軸部との結合の際に前記軸部に係合されるものであることを特徴とする請求項１又は請求項２に記載のコマ玩具。
【請求項４】
前記部分は、前記胴部及び前記軸部とは独立したパーツであって、前記胴部と前記軸部との結合の際に前記軸部に係合されるものであることを特徴とする請求項１又は請求項２に記載のコマ玩具。
【請求項５】
前記固定ブレード、前記可動部材及び前記付勢部材が取り付けられた部分は、天地逆にして前記胴部の他の部分に着脱可能に構成されていることを特徴とする請求項１〜請求項４のいずれか一項に記載のコマ玩具。
【発明の詳細な説明】
【技術分野】
【０００１】
本発明はコマ玩具に関するもので、特にバトルゲームに好適なコマ玩具に関するものである。
【背景技術】
【０００２】
従来、コマ玩具を使用したバトルゲームとして、コマ玩具を互いに衝突させ、その衝撃力によって相手方コマ玩具を分解させたりして勝敗を決めるものが知られている（例えば、特許文献１参照）。
【先行技術文献】
【特許文献】
【０００３】
【特許文献１】特許第６３７７２１１号公報
【発明の概要】
【発明が解決しようとする課題】
【０００４】
ところで、このようなコマ玩具では、相手方コマ玩具と接触する外周の形状が真円に近いほど、相手方コマ玩具から受ける衝撃力が小さくなるとともに、相手方コマ玩具に与える衝撃力も小さい。反対に、外周の凹凸の起伏が大きい程、相手方コマ玩具から受ける衝撃力が大きくなるとともに、相手方に与える衝撃力も大きい。そのため、外周の凹凸の起伏が大きいコマ玩具の場合、回転中にコマ玩具の胴部同士が当たったときに、コマ玩具の減速の点はともかく、軸部と胴部の相対回転が急速に進行してしまい、分解までの時間が早まってしまうという問題がある。
【０００５】
本発明は、かかる問題点に鑑みなされたもので、分解までの時間を遅らせることができるコマ玩具を提供することを目的とする。
【課題を解決するための手段】
【０００６】
第１の手段は、
第１の結合要素が形成された胴部と、第２の結合要素が形成された軸部とを備え、胴部
と軸部とを軸心方向から突き合わせた状態で第１の結合要素の上面と第２の結合要素の
下面とを当接させることで前記胴部と前記軸部とが結合され、外部衝撃が前記胴部に作用した際に前記胴部と前記軸部とが相対回転し所定位置で結合が解除されて分解される構造を有するコマ玩具であって、
前記胴部に固定された固定ブレードと、
前記胴部に設けられ、前記固定ブレードのコマ回転方向の下流側に当該固定ブレードに隣接して配置され、付勢部材の付勢力により動作して常態で前記固定ブレードのコマ回転方向の下流側端を半径方向外方に露出させない第１位置を取るとともに、外部衝撃により動作して前記コマ玩具の半径方向内方へ動作して前記固定ブレードの下流側端を露出させる第２位置とを取り得る可動部材と、
前記可動部材の前記半径方向内方に配置され、前記軸部と一体的に前記胴部に対して相対回転する部分と、を備え、
前記可動部材には、半径方向内方への動作時に前記部分に当接して前記軸部の相対回転を阻止又は制動する相対回転規制片が形成されている、
ことを特徴とする。
【０００７】
第２の手段は、第１の手段であって、前記可動部材は、前記胴部の外周に沿って延在し、コマ回転方向の下流側部分で前記軸心と平行な所定の軸を中心に回動可能に構成され、コマ回転方向の上流側部分で前記固定ブレードのコマ回転方向の下流側端を半径方向外方に露出させないようにしたことを特徴とする。
【０００８】
第３の手段は、第１の手段又は第２の手段であって、前記部分は、前記胴部に設けられ、前記胴部と前記軸部との結合の際に前記軸部に係合されるものであることを特徴とする。また、第４の手段は、第１の手段又は第２の手段であって、前記部分は、前記胴部及び前記軸部とは独立したパーツであって、前記胴部と前記軸部との結合の際に前記軸部に係合されるものであることを特徴とする。
【０００９】
第５の手段は、第１の手段〜第４の手段のいずれかであって、前記固定ブレード、前記可動部材及び前記付勢部材が取り付けられた部分は、天地逆にして前記胴部の他の部分に着脱可能に構成されていることを特徴とする。
【発明の効果】
【００１０】
本発明のコマ玩具によれば、コマ玩具の攻撃力を上げながら、分解までの時間を遅らせることができる。
【図面の簡単な説明】
【００１１】
【図１】実施形態に係るコマ玩具の斜視図である。
【図２】コマ玩具の分解斜視図である。
【図３】コマ玩具における軸部の分解斜視図である。
【図４】図３の軸部の半部を示した断面図である。
【図５】上胴部を上方から見た分解斜視図である。
【図６】上胴部を下方から見た分解斜視図である。
【図７】上胴部の模式的平面図である。
【図８】上胴部の模式的底面図である。
【図９】下胴部を上方から見た分解斜視図である。
【図１０】下胴部の模式的平面図である。
【図１１】下胴部の模式的底面図である。
【図１２】軸部を胴部に組み付ける作業を説明する分解斜視図である。
【図１３】可動部材の作用を示した模式的平面図である。
【図１４】可動部材の作用の他の態様を示した模式的平面図である。
【発明を実施するための形態】
【００１２】
以下、本発明のコマ玩具を図面に示した実施形態に基づいて説明する。なお、下記説明では、コマ玩具が正立している状態で説明する。
【００１３】
図１は、実施形態に係るコマ玩具１の斜視図、図２は、コマ玩具の分解斜視図である。
本実施形態のコマ玩具１は、いわゆるバトルゲームに使用することが可能なコマ玩具である。このコマ玩具１は、互いの衝突による衝撃力で相手方のコマ玩具１を分解させて勝利とするようなバトルゲームに使用される。
このコマ玩具１は軸部１０と胴部２０とによって構成されている。
【００１４】
（軸部１０）
図３は、コマ玩具１における軸部１０の分解斜視図である。
軸部１０は、接地する回転軸１１ａを有している。回転軸１１ａの上には円柱体１１ｂが付設されている。円柱体１１ｂの周面上端には半径方向外方へ張り出す爪１１ｃ，１１ｃが形成されている。回転軸１１ａ及び円柱体１１ｂは軸部１０の下部構造体１１を構成し、この下部構造体１１には張出し部１１ｄ，１１ｄが形成されている。
また、軸部１０は円筒体１２を有している。この円筒体１２の外周下端にはフランジ１２ａが形成されるとともに、周壁からフランジ１２ａに亘って角孔１２ｂ，１２ｂが形成されている。さらに、円筒体１２の周壁には突出部１２ｃ，１２ｃが形成されている。
また、軸部１０は環体１３を有している。この環体１３の下端外周には鉤形状の脚１３ａ，１３ａが形成されている。また、環体１３の天井壁中央に孔１３ｂが形成され、その一部に切欠き１３ｃ，１３ｃが形成されている。さらに、天井壁上面には半径方向に延びる突条１３ｄ，１３ｄが形成されている。
【００１５】
図４は、軸部１０の半部を示した断面図である。
この軸部１０は、図４に示すように、下部構造体１１の円柱体１１ｂにコイルスプリング１４を巻回させ、その上から、爪１１ｃ，１１ｃと切欠き１３ｃ，１３ｃとを合致させるようにして環体１３を円柱体１１ｂに篏合させ、さらに、脚１３ａ、１３ａと角孔１２ｂ，１２ｂとを合致させるようにして円筒体１２を被せ、張出し部１１ｄ，１１ｄを通したネジ（図示せず）を突出部１２ｃ，１２ｃに螺合させることによって組み上げられる。
【００１６】
このように構成された軸部１０では、環体１３がコイルスプリング１４によって上方へ付勢され、脚１３ａ、１３ａが角孔１２ｂ，１２ｂの上縁に突き当たることによって環体１３の上動が規制される。
【００１７】
（胴部２０）
胴部２０は、図２に示すように、上胴部２０ａと下胴部２０ｂによって構成されている。上胴部２０ａと下胴部２０ｂとは重畳されて１つの胴部２０を構成している。上胴部２０ａと下胴部２０ｂとはきつく嵌合することによって一体化される。また、上胴部２０ａと下胴部２０ｂとは手で取り外すことができる。
【００１８】
１．上胴部２０ａ
図５は、上胴部２０ａを上方から見た分解斜視図、図６は、上胴部２０ａを下方から見た分解斜視図である。
上胴部２０ａは、周面にブレード３１ａを有する上部環体３１と、周面にブレード３２ａを有する下部環体３２を備えている。これらの環体３１，３２は致心して配置されている。
【００１９】
上部環体３１の下面には軸孔３１ｂが形成され、その軸孔３１ｂには、可動部材３３の軸３３ａが挿入されている。可動部材３３は、周面にブレード３３ｂを有し、内周面に相対回転規制片３３ｃを備えている。この可動部材３３は、上部環体３１に支持される軸３３ａを中心にして回動可能に支持される。この可動部材３３は、コイルスプリング３４によって外方へ付勢され、上胴部２０ａのブレード３１ａの一部を成す。
【００２０】
下部環体３２には内周面から内方に張り出す支持板３２ｂが形成されている。この支持板３２ｂには、弧状孔３２ｃが形成されている。この下部環体３２はネジ３８によって上部環体３１に取り付けられる。また、下部環体３２には、支持板３２ｂ，３２ｂの間に差し渡すように係止されるカバープレート３５が取り付けられる。すなわち、カバープレート３５の下面には、図６に示すように、下方に向けて爪３５ｂが付設されている。そして、この爪３５ｂを孤状壁３２ｃに挿入することで、弧状孔３２ｃの縁と爪３５ｂとが係合され、下部環体３２にカバープレート３５が取り付けられる。これによって、上部環体３１及び下部環体３２とカバープレート３５との間には弧状孔４０ａが形成される。
【００２１】
カバープレート３５の中心には孔３５ｃが形成され、その周囲には弧状孔３５ｄが形成されている。そして、弧状孔３５ｄには円板体３６の爪３６ｂが挿入される。また、円板体３６の中心の孔３６ａには係止板３７の下側のボス３７ａが差し込まれる。そして、カバープレート３５の孔３５ｃに下方から挿入させたねじ（図示せず）よって、カバープレート３５に円板体３６及び係止板３７が組み付けられる。このように組み付けられた円板体３６の爪３６ｂは弧状孔３５ｄ内で回動が許容される。
【００２２】
図７は、上胴部２０ａの模式的平面図、図８は、上胴部２０ａの模式的底面図である。これらの図に示すように上胴部２０ａは組み上がる。
【００２３】
続いて、上部環体３１と下部環体３２との間に設けられる可動部材３３について説明する。
可動部材３３は、図１３に示すように、上胴部２０ａの外周方向に延在し、コマ回転方向前側部分の軸３３ａを中心に上胴部２０ａに対して回動可能に取り付けられ、コイルスプリング３４によって外方へ向けて付勢されている。可動部材３３の先端外縁は、外方に位置するときには、コマ回転方向直後に隣設された、上胴部２０ａの固定のブレード３１ａ，３２ａのコマ回転方向前端を半径方向外方に露出させない位置を取る（図１３における左側の可動部材３３）。そして、この可動部材３３は、外力（相手方コマ玩具による衝撃）によって内方に回動され、相対方向規制片３３ｃが胴部２０の弧状孔４０ａに突入する（図１３における右側の可動部材３３）。このときには、可動部材３３の先端外縁は、コマ回転方向直後に隣設された、上胴部２０ａのブレード３１ａ，３２ａのコマ回転方向前端を半径方向外方に露出させる（図１３における右側の可動部材３３）
【００２４】
なお、このコマ玩具１は、時計方向のみならず反時計方向にも使用できるような構成となっている。すなわち、上部環体３１及び下部環体３２の組立体は、カバープレート３５、円板体３６及び係止板３７の組立体を取り除いた状態で天地逆にして装着することができる。天地逆にした場合、可動部材３３の向きは逆となる。この上に、カバープレート３５よりも上の部分が取り付けられる。
上部環体３１及び下部環体３２の組立体を天地逆にした場合には、カバープレート３５、円板体３６及び係止板３７の組立体をそのまま装着することができない。円板体３６の爪３６ｂ，３６ｂの位置を変える必要があるからである。理由は、コマ回転方向に応じて爪３６ｂ，３６ｂと後述の歯５２ｆとの位置関係を変えるためである。位置関係を変えないと、軸１０と胴部２０との結合の際の回転が変わるため、もし円板体３６の爪３６ｂ，３６ｂの位置を変えないと、爪３６ｂと爪１１ｃとが噛み合った状態のときに、上手く歯５２ｆと突条１３ｄとが噛み合わなくなるからである。
そのため、上部環体３１及び下部環体３２の組立体を天地逆にして使用するときには、円板体３６の爪３６ｂを弧状孔３５ｄ内で回転させ、コマ回転方向後側の端に係合させる必要がある。なぜなら、カバープレート３５に円板体３６及び係止板３７の組立体をそのまま装着し直すと、支持板３２ｂの上面に爪３６ｂが当たってしまうからである。
その後、図８に示すように、下部環体３２の弧状孔３２ｃにカバープレート３５の爪３５ｂを挿入し、カバープレート３５の爪３５ｂが弧状孔３２ｃ内のコマ回転方向前側の端で係合するよう回転させる。
【００２５】
２．下胴部２０ｂ
下胴部２０ｂは、図９に示すように、外枠５１、内枠５２、フライホイール５３、環体５４及び環状円板５５を備えている。
【００２６】
外枠５１は環状に形成されている。この外枠５１には下方から内枠５２が嵌まり込む。その際に、外枠５１の起立部５１ａの爪孔５１ｂに内枠５２の爪５２ａが入り込む。これによって、内枠５２は外枠５１に固定される。
【００２７】
内枠５２は、中央に孔５２ｂが形成されるとともに、孔５２ｂの外側には、孔５２ｂと同心的に弧状孔５２ｃ，５２ｃが形成されている。また、各環状孔５２ｃの長手方向中央位置には孔５２ｂの内方に向けて張り出す突出片５２ｄが形成されている。突出片５２ｄの先端部は下方に折れ曲がっており、この折曲げ部の下端には摺接部を構成する歯５２ｆが複数形成されている。この内枠５２には下方からフライホイール５３が組み付けられる。その際に、フライホイール５３の各舌片５３ｂが対応する弧状孔５２ｃに挿入される。
【００２８】
フライホイール５３は環状に形成されている。フライホイール５３の上面には、上方に膨らむ膨出部５３ａ，５３ａが形成されている。各膨出部５３ａの下にはフライホイール５３の下方及び内方に開口する凹部５３ｃ，５３ｃが形成されている。また、フライホイール５３の上面には、各膨出部５３ａの直ぐ外側に上方に延びる舌片５３ｂが形成されている。フライホイール５３は弧状スリット５２ｃ，４０ａの範囲で移動可能となっている。
【００２９】
環体５４は、図８に示すように、内周に歯５４ａが形成されるとともに、外周面にブレード５４ｂが形成されている。この環体５４はフライホイール５３を取り囲むようにして配置され、上方に位置する内枠５２の突片５２ｅ，５２ｅによって上方への抜けが防止されている。この環体５４の下には環状円板５５が取り付けられる。
【００３０】
環状円板５５には、凹部５５ａ，５５ａが形成されている。そして、外枠５１との間に内枠５２、フライホイール５３及び環体５４を挟んだ後に、外枠５１のボス５１ｃを環状円板５５の対応する孔５５ｂに篏合させることによって組み付けられる。
【００３１】
なお、環状円板５５の凹部５５ａには、係止ブロック５６が付設可能となっている。係止ブロック５６の外側には歯５６ｂが形成され、上面にはピン５６ａが付設されている。この係止ブロック５６は、コイルスプリング５６ｃによって上方へ付勢され、ピン５６ａが外枠５１の角孔５１ｄに嵌合し、角孔５１ｄの上方に突出している。ピン５６ａの上端部は、上胴部２０ａの下部環体３２の切欠き３２ｅ（図６，図８）に係合可能となっている。つまり、下部環体３２と環状円板５５とが第１回転位置関係にあるときにピン５６ａの上端部が下部環体３２の切欠き３２ｅに係合してコイルスプリング５６ｃの付勢力によって上方に動作し、下部環体３２と環状円板５５とを第１回転位置関係から両者を相対的に１８０度回転させた第２回転位置関係ではピン５６ａの上端部が下部環体３２の切欠き３２ｅに係合せず、下部環体３２の下面で係止ブロック５６が下方に押し込まれる。そして、係止ブロック５６が上方へ動作した際には、環体５４は環状円板５５に対して回転フリーとなり、係止ブロック５６が下方へ動作した際には係止ブロック５６の歯５６ｂが環体５４の歯５４ａに噛合され。環体５４が環状円板５５に固定される。なお、上胴部２０ａ及び下胴部２０ｂの各々は、中心線を中心とする点対称の構造を持つため、第１回転位置関係及び第２回転位置関係では、上胴部２０ａと下胴部２０ｂとを適切に嵌合させることができる。
【００３２】
（コマ玩具１の組立て）
コマ玩具１の軸部１０と胴部２０は、以下のようにして組み立てられる。
まず、図１２に示すように、軸部１０の突出部１２ｃを下方からフライホイール５３の凹部５３ｂに合致させるようにして、軸部１０を胴部２０に突き合わせる。この状態は、軸部１０の爪１１ｃと胴部２０の爪３６ｂとが上下方向で重なっていない状態、すなわち結合解除状態である。その後、さらに軸部１０を胴部２０側に押圧する。すると、軸部１０内のコイルスプリング１４が撓み、軸部１０の爪１１ｃが胴部２０の爪３６ｂよりも上方に相対的に押し上げられる。そして、軸部１０をフライホイール５３と一体的に胴部２０に対して一方向（コマの回転と逆方向）に回動させる。すると、軸部１０の爪１１ｃと胴部２０の爪３６ｂとが上下で重なった状態となる。この状態で軸部１０から手を離すと、軸部１０内のコイルスプリング１４の付勢力によって、軸部１０の爪１１ｃの下面と胴部２０の爪３６ｂの上面とが当接される。この状態、すなわち軸部１０の爪１１ｃの下面と胴部２０の爪３６ｂの上面とが当接された状態が結合状態である。これにより、軸部１０と胴部２０とが結合され、コマ玩具１が組み立てられる。このコマ玩具１の組立て状態では、軸部１０の突条１３ｄと内枠５２の歯５２ｆとが当接する。
【００３３】
（遊び方）
続いて、コマ玩具１同士のバトルについて以下に説明する。
弧状孔４０ａに挿入されたフォークを回転させることによってコマ玩具1が回転付勢される。そして、相手方コマ玩具１に衝突すると、衝突による衝撃力や擦れ等によって、胴部２０には、軸部１０の回転方向とは反対の方向の力が作用し、それによって、胴部２０が軸部１０の回転方向に対して反対の方向に相対回転させられる。
このとき、軸部１０と胴部２０との間には、軸部１０の突条１３ｄと内枠５２の歯５２ｆとの当接によって、軸部１０内のコイルスプリング１４の付勢力による摩擦抵抗が生じているが、衝突による衝撃力が作用する毎に、胴部２０に対して軸部１０が相対回転して噛み合い位置を変更する。そして、結合解除位置、軸部１０と一体的に回動されるフライホール５３の舌片５３ｂが弧状孔４０ａの一方端に達すると、胴部２０の爪３６ｂが軸部１０の爪１１ｃから外れるため、軸部１０内のコイルスプリング１４の付勢力によって胴部２０の全体が軸部１０から離反して分解される。
【００３４】
（可動部材３３の動作）
また、可動部材３３が相手方コマ玩具１からの衝撃によって内方に回動されると、可動部材３３の相対回転規制片３３ｃが弧状孔４０ａに入り込む。このとき、フライホイール５３の舌片５３ｂが図１３に示す位置にあると、可動部材３３の相対回転規制片３３ｃがフライホイール５３の舌片５３ｂの進路の前側に突入し、フライホイール５３ひいては軸部１０と胴部２０との相対回転が阻止される。このときには、可動部材３３の先端外縁は、コマ回転方向直後に隣設された、上胴部２０ａのブレード３１ａ，３２ａのコマ回転方向前端を半径方向外方に露出させる（図１３における右側の可動部材３３）。
【００３５】
また、可動部材３３が内方に回動され、可動部材３３の相対回転規制片３３ｃが弧状孔４０ａに入り込んだときに、胴部２０の弧状孔４０ａ内に位置するフライホイール５３の舌片５３ｂが図１４（Ａ）に示す位置にあると、可動部材３３の相対回転規制片３３ｃが舌片５３ｂに圧接され、フライホイール５３ひいては軸部１０と胴部２０との相対回転が抑制される。このときには、可動部材３３の先端外縁は、コマ回転方向直後に隣設された、上胴部２０ａのブレード３１ａ，３２ａのコマ回転方向前端を半径方向外方に一部露出させる。
【００３６】
また、胴部２０の弧状孔４０ａ内に位置するフライホイール５３の舌片５３ｂが図１４（Ｂ）に示す位置にあるときに可動部材３３が内方に回動された場合には、可動部材３３の相対回転規制片３３ｃは舌片５３ｂの突き当ることなく弧状孔４０ａに突入するが、舌片５３ｂが通り去った後なので相対回転には影響しない。このときには、可動部材３３の先端外縁は、コマ回転方向直後に隣設された、上胴部２０ａのブレード３１ａ，３２ａのコマ回転方向前端を半径方向外方に露出させる。
【００３７】
以上、本発明の実施形態について説明したが、本発明は、かかる実施形態に限定されるものではなく、その要旨を逸脱しない範囲で、種々変形が可能であることは言うまでもない。
例えば、上記実施形態では、可動部材を所定の軸を中心に回動可能に構成したが、可動部材を半径方向に直線的に往復動するようにしてもよい。要は、コマ回転方向後側の固定ブレードの角が露出することである。これによって、攻撃力をアップした状態で軸部と胴部との相対回転を抑制し、分解されにくいコマ玩具を実現できる。
【００３８】
また、上記実施形態では、軸部と一体的に回転する部分（フライホイール）を胴部２０に設けたが、予め軸部に固定されているか、当該部分は、胴部及び軸部とは独立したパーツであって、胴部と軸部との結合の際に軸部に係合されるものであってもよい。
【符号の説明】
【００３９】
１    コマ玩具
１０    軸部
１１ｃ    爪（結合要素）
２０    胴部
２０ａ    上胴部
２０ｂ    下胴部
３１ａ    ブレード
３２ａ    ブレード
３３    可動部材
３３ｃ    相対回転規制片
３４    コイルスプリング
３６ｂ    爪（結合要素）
５３    フライホイール
【要約】
【課題】分解までの時間を遅らせることができるコマ玩具を提供すること。
【解決手段】  外部衝撃が胴部２０に作用した際に結合が解除されて分解される構造を有するコマ玩具１であって、前記胴部に固定された固定ブレード３１ａ、３２ａと、胴部２０に設けられ、ばね３４の付勢力により動作して常態で第１位置を取るとともに、外部からの衝撃により動作して固定ブレード３１ａ、３２ａの前端を露出させる第２位置とを取り得る可動部材３３と、可動部材３３の内方に配置され、軸部１０と一体的に胴部２０に対して相対回転する部分５３と、を備え、可動部材３３には、可動部材３３の動作に伴って部分５３に当接して軸部１０の相対回転を阻止又は制動する相対回転規制片３３ｃが形成されている。
【選択図】図７【図１】
0006807069.tif 000002
【図２】
0006807069.tif 000003
【図３】
0006807069.tif 000004
【図４】
0006807069.tif 000005
【図５】
0006807069.tif 000006
【図６】
0006807069.tif 000007
【図７】
0006807069.tif 000008
【図８】
0006807069.tif 000009
【図９】
0006807069.tif 000010
【図１０】
0006807069.tif 000011
【図１１】
0006807069.tif 000012
【図１２】
0006807069.tif 000013
【図１３】
0006807069.tif 000014
【図１４】
0006807069.tif 000015